(57)【要約】【課題】  従来例の爪きりによれば、１本の指の爪きりを完結するまでに最低２回以上の爪を切る作業が必要とされた。また、切り口の形状を一定に保つ事が難しく、ヤスリ部により爪の形を整えるにも時間を必要とする大きな問題があった。【解決手段】  上下同位置に同じ形状の切断面を有する２以上のプレートを中央部に設けたシャフトを基軸として上下の間隔を詰める事により、一度の切断作業にて一本の指爪の切断を完結する事が出来るとともに、殆ど同形状の爪の形に切断する事の出来ることが特徴である。また、上下の爪切断用プレートに２箇所以上の爪切断箇所及び、２サイズ以上の爪切断箇所を設けた事により片手５本の指爪や、片足５本の指爪を１本の爪きりにより容易に切断できる事を可能としたことが特徴である。【選択図】図２
2012000411.tif 000002
【特許請求の範囲】
【請求項１】
上下同位置に同じ形状の切断面を有する２以上のプレートを中央部に設けたシャフトを基軸に上下の間隔を詰める事により、一度の切断作業にて一本の指爪の切断を完了する事が出来るとともに、殆ど同形状の爪の形に切断する事の出来ることを特徴とする爪きり。
【請求項２】
爪の切断用プレートに２箇所以上の爪切断箇所及び、１サイズ以上の爪切断箇所を設けた事を特徴とする爪きり。
【請求項３】
上部切断プレートまたは下部切断プレート若しくは上下切断プレート共に爪切断面に細い刃材を溶接、または接着剤等により設けた事を特徴とする爪きり。並びに厚いプレートを削り出す事により、刃を設けた事を特徴とする爪きり。
【請求項４】
中央部に設けた回転体ガイドピン廻りのバネ材により上下プレート間隔を保持するとともに、中央部に設けた回転体ガイドピン以外のピンを設ける事により上下同位置に同じ形状の切断面を複数有する２以上のプレートを設ける事が出来ることを特徴とする爪きり。
【発明の詳細な説明】
【技術分野】
【０００１】  本発明は、主に爪の切断時に用いられ、一度の切断作業にて一本の指爪の切断を完了する事が出来るとともに、常に同じ形状に爪を切断する事が出来る爪きりに関する。
【背景技術】
【０００２】  従来の家庭用の爪きりは切断レバー１１とＶ形爪切断開口部１２により、形成されている。切断レバー１１は回転体ガイド、及び上下プレート間隔圧縮ガイドピン１３を軸に、Ｖ形爪切断開口部１２の水平面より上部の半球部内に於いて３６０度自由な回転が可能とされていた。回転体ガイド、及び上下プレート間隔圧縮ガイドピン１３を軸に、ガイドピン１３と反対方向にある１１の先端部と１２の先端部の間隔を圧縮すると、１３をガイドとしてＶ形爪切断開口部１２に設けた上下刃の間隔が圧縮されることにより、上下刃の間にセットされた爪が切断されていた。
【先行技術文献】
【特許文献】
【０００３】
【特許文献１】  特開２００９−２８５４２９号  広報
【発明の概要】
【発明が解決しようとする課題】
【０００４】  従来例の爪きりは、１本の指の爪きりを完結するまでに最低２回以上の爪を切る作業が必要とされた。また、切り口の形状を一定に保つ事が難しく、ヤスリ部により爪の形を整えるにも時間を必要とする大きな問題があった。【０００５】  本発明は、このような不具合を解消するためになされたものであり、一度の切断作業にて一本の指爪の切断を完結する事が出来るとともに、殆ど同形状の爪の形に切断する事の出来ることや、片手５本の指爪や、片足５本の指爪を１本の爪きりにより容易に切断する事が出来ることを可能としたことが特徴である爪きりの提供を目的とするものである。
【課題を解決するための手段】
【０００６】  上記不具合を解決するために、本発明は次のような構成としている。
請求項１に記載した爪きりは、上下同位置に同じ形状の切断面を有する２以上のプレートが中央部に設けたシャフトを基軸に上下の間隔を詰める事により、一度の切断作業にて一本の指爪の切断を完結する事が出来るとともに、殆ど同形状の爪の形に切断する事の出来ることが特徴である。【０００７】  請求項２に記載した爪きりは、爪の切断用プレートに２箇所以上の爪切断箇所及び、１サイズ以上の爪切断箇所を設けた事を特徴とする爪きりの為、１本の爪きりですべての指の爪を切断できる効果を発揮する事ができた。【０００８】  請求項３に記載した爪きりは、上下プレートの爪切断面に細い刃材を溶接及び接着剤等により設けた事を特徴とする爪きり。並びに厚いプレートを削り出す事により、刃を設けた事を特徴とする爪きりの為、上下プレートに複数の変形デザインの刃付曲面を有する爪切断部を設ける事ができた。【０００９】  請求項４に記載した爪きりは、中央部に設けた回転体ガイドピン廻りのバネ材により上下プレート間隔を保持するとともに、中央部に設けた回転体ガイドピン以外のピンを設ける事により上下同位置に同じ形状の切断面を複数有する２以上のプレートを設ける事が出来ることとなり、１本の爪きりですべての指の爪を切断できる効果を発揮する事ができた。
【発明の効果】
【００１０】  以上説明したように本発明によれば、上下同位置に同じ形状の切断面を有する２以上のプレートを中央部に設けたシャフトを基軸に上下の間隔を詰めるかたちとした事、また、上下プレートの爪切断面に細い刃材を溶接及び接着剤等により設けた事や、厚いプレートを削り出す事で刃を設けた事により、上下プレートに複数の変形デザインの刃付曲面を有する爪切断部を設ける事ができ、一度の切断作業にて一本の指爪の切断を完結する事が出来るとともに、殆ど同形状の爪の形に切断する事の出来る効果を発揮する事ができた。また、上下の爪切断用プレートに２箇所以上の爪切断箇所及び、２サイズ以上の爪切断箇所を設けた事により片手５本の指爪や片足５本の指爪を１本の爪きりにより容易な爪の切断が可能となる効果を発揮する事ができた。
【図面の簡単な説明】
【００１１】
【図１】図１は従来例の爪きりを示す透視図
【図２】図２は本発明の爪きりを示す平面図
【図３】図３は本発明の爪きりを示す立面図
【図４】図４は溶接、接着タイプによる図２のＡ−Ａ線断面図
【図５】図５は削りだしタイプによる図２のＡ−Ａ線断面図
【図６】図６は図２のＢ−Ｂ線断面図
【発明を実施するための形態】
【００１２】  上下同位置に同じ形状の切断面を有する２以上のプレートを中央部に設けたシャフトを基軸に上下の間隔を詰める事により、一度の切断作業にて一本の指爪の切断を完結する事が出来るとともに、殆ど同形状の爪の形に切断する事の出来るものである。また、上下の爪切断用プレートに２箇所以上の爪切断箇所及び、２サイズ以上の爪切断箇所を設けた事により片手５本の指爪や、片足５本の指爪を１本の爪きりにより容易な爪の切断を可能とした。
【００１３】  以下、本発明の実施の形態を図２〜図６に基づいて説明する。
【００１４】  本発明の実施例について、図面を参照して説明する。図２は本発明の爪きりを示す平面図、図３は本発明の爪きりを示す立面図、図４は溶接、接着タイプによる図２のＡ−Ａ線断面図、図５は削りだしタイプによる図２のＡ−Ａ線断面図、図６は図２のＢ−Ｂ線断面図。
【００１５】  図２、図３で示すように、本発明の爪きり２０は本発明爪きり上部切断プレート２２Ａ、本発明爪きり下部切断プレート２２Ｂ、及び本発明爪きり上部切断レバー２１、本発明爪きり下部切断レバー２８により形成されている。爪きり上部切断プレート２２Ａ、爪きり下部切断プレート２２Ｂを下部切断レバー２８と上部切断レバー２１間に設け、本発明回転体ガイド、及び上下プレート間隔圧縮ガイドピン２４を介する事で、本発明の爪きり２０を形成している。また、上部切断レバー２１と回転体ガイド、及び上下プレート間隔圧縮ガイドピン２４は接合ピン２９を介して接合されている。
【００１６】  上部切断レバー２１は、回転体ガイド、及び上下プレート間隔圧縮ガイドピン２４を軸に、爪きり上部切断プレート２２Ａの水平面より上部の半球部内に於いて３６０度自由な回転が可能であり、爪ヤスリ３１を設けている。また、下部切断レバー２８は回転体ガイド、及び上下プレート間隔圧縮ガイドピン２４を軸に３６０度回転が可能であり、ツヤダシ研磨材を設けている。更に図１、図２、図３にて詳細に説明する。
【００１７】  爪きり上部切断プレート２２Ａ、爪きり下部切断プレート２２Ｂ共に対向する面に切断用刃３０を設けている。中央部に設けた回転体ガイドピン２４廻りのバネ２６により上下プレート２２Ａ、２２Ｂ間隔を保持するとともに、中央部に設けた回転体ガイドピン２４以外の上下プレート間隔圧縮ガイドピン２５を設ける事により上下同位置に同じ形状の切断面を複数有する２以上のプレート２２Ａ、及び２２Ｂを設ける事が出来た。
【００１８】  図２、図３、図４、図５にて更に詳細に説明する。図４では、上部切断プレート２２Ａまたは下部切断プレート２２Ｂ若しくは上下切断プレート共に爪切断部２３は細い切断用刃材３０を接合部４０に溶接、または接着剤等により設けた。また、図５は厚いプレートの５０を削り出し切断用刃材３０を設けた。以上、切断用刃材３０の設定工法により一度の切断作業にて一本の指爪の切断を完了する事が出来る形状の刃付曲面を有する爪切断部２３を異なるサイズにて２サイズ以上設ける事ができた。また、上下同位置に同じ形状の切断面を有する２以上のプレート２２Ａ、２２Ｂを中央部に設けたシャフト２４を基軸に上下の間隔を詰める事により、一度の切断作業にて一本の指爪の切断を完結する事が出来るとともに、殆ど同形状の爪の形に切断する事ができた。また、上下の爪切断用プレート２２Ａ、２２Ｂに２箇所以上の刃付曲面を有する爪切断部２３及び、２サイズ以上の刃付曲面を有する爪切断部２３を設けた事により片手５本の指爪や、片足５本の指爪を１本の爪きりにより容易に切断できる事を可能とした効果がえられるものである。
【符号の説明】
【００１８】１０    従来例爪きり
１１    切断レバー
１２    Ｖ形爪切断開口部
１３    回転体ガイド、及び上下プレート間隔圧縮ガイドピン
２０    本発明爪きり
２１    本発明爪きり上部切断レバー
２２Ａ  本発明爪きり上部切断プレート
２２Ｂ  本発明爪きり下部切断プレート
２３    本発明刃付曲面を有する爪切断部
２４    本発明回転体ガイド、及び上下プレート間隔圧縮ガイドピン
２５    上下プレート間隔圧縮ガイドピン
２６    バネ
２８    本発明爪きり下部切断レバー
２９    接合ピン
３０    切断用刃材
３１    爪ヤスリ
３２    ツヤダシ研磨材
４０    接合部
５０    削取部
【図１】
2012000411.tif 000003
【図２】
2012000411.tif 000004
【図３】
2012000411.tif 000005
【図４】
2012000411.tif 000006
【図５】
2012000411.tif 000007
【図６】
2012000411.tif 000008